(57)【要約】【課題】太陽電池モジュールへの良好な伝熱性を確保する。【解決手段】端子ボックス１０は、ダイオード本体８１を支持する金属製の放熱板と、放熱板を支持し、その支持面２６とは反対側の面が太陽電池モジュールに取り付けられる樹脂製の支持部１２とを備える。放熱板には、孔７０が開口して形成され、支持部１２の支持面２６には、孔７０に挿入される凸部３７が突出して形成されている。凸部３７の先端部には、孔７０を貫通して放熱板の表面側に臨む部分を熱又は超音波でかしめてなるかしめ部３９が形成されている。かしめ部３９がダイオード本体８１の発熱によって変形しない構成とされている。【選択図】図４
2012004207.tif 000002
【特許請求の範囲】
【請求項１】
整流素子の発熱部分となる整流素子本体を支持する金属製の放熱板と、
前記放熱板を支持するとともに、その支持面とは反対側の面が太陽電池モジュールに当接可能とされる樹脂製の支持部とを備えた太陽電池モジュール用端子ボックスであって、
前記放熱板には、孔が開口して形成され、前記支持部の前記支持面には、前記孔に挿入される凸部が突出して形成され、
前記凸部の先端部には、前記孔を貫通して前記放熱板の表面側に臨む部分を熱又は超音波でかしめてなるかしめ部が形成されており、
前記かしめ部が、前記整流素子本体の発熱によって変形しない構成とされていることを特徴とする太陽電池モジュール用端子ボックス。
【請求項２】
前記凸部の熱変形温度が１７０℃以上とされている請求項１記載の太陽電池モジュール用端子ボックス。
【請求項３】
前記凸部には、ガラス繊維又はタルクが含まれている請求項１又は２記載の太陽電池モジュール用端子ボックス。
【請求項４】
前記凸部が、ＰＢＴ（ポリブチレンテレフタレート）又はＰＰＳ（ポリフェニレンサルファイド）で構成されている請求項１ないし３のいずれか１項記載の太陽電池モジュール用端子ボックス。
【請求項５】
前記孔が、前記放熱板における前記整流素子本体の支持領域を挟んだ両側の領域に形成されている請求項１ないし４のいずれか１項記載の太陽電池モジュール用端子ボックス。
【請求項６】
前記放熱板が筐体に収容され、前記筐体が、前記支持部と、その周りを取り囲む外周部とを有し、前記支持部及び前記外周部が、互いに着脱可能に連結され、前記支持部が、前記外周部よりも高い耐熱性を有する請求項１ないし５のいずれか１項記載の太陽電池モジュール用端子ボックス。
【発明の詳細な説明】
【技術分野】
【０００１】
本発明は、太陽電池モジュール用端子ボックスに関する。
【背景技術】
【０００２】
太陽電池パネルは、複数の太陽電池モジュールで構成され、各太陽電池モジュールは、端子ボックスを介して互いに接続されている。
特許文献１に開示の端子ボックスは、樹脂製の筐体と、筐体内に収容される２つの端子板と、両端子板に接続されるダイオードとを備えている。両端子板には、それぞれ、太陽電池モジュールから延びるプラス側及びマイナス側のリードが接続されている。ダイオードは、発熱部分を有するダイオード本体と、ダイオード本体から延びる一対の導体ピンとを有している。ダイオード本体は、両端子板のうちの一方の端子板に支持され、両導体ピンの先端部は、両端子板のそれぞれに半田接続されている。また、両端子板は、筐体の底部に支持され、底部は、太陽電池モジュールに取り付けられる。ここで、ダイオード本体が発熱すると、該熱は、一方の端子板から底部を経て太陽電池モジュール側へ放熱される。つまり、一方の端子板は、放熱板としての機能を兼備するものである。
【先行技術文献】
【特許文献】
【０００３】
【特許文献１】特開２００５−２５１９６２号公報
【発明の概要】
【発明が解決しようとする課題】
【０００４】
上記特許文献１には、一方の端子板（以下、放熱板という）が底部に如何に固定されるかについて明らかにされていない。この場合、例えば、放熱板に孔を開け、底部に凸部を突出させ、孔に凸部を挿入した状態で、孔から突出する凸部の先端部を熱かしめし、これによって凸部の先端部にかしめ部を膨出形成して、かしめ部と底部との間に放熱板を挟持させる方法を採用することができる。こうすると、放熱板と底部とが互いに密接して、放熱板から太陽電池モジュールへの伝熱性が良好となる。しかし、仮に、ダイオード本体の発熱によってかしめ部が変形すると、かしめ部の放熱板への保持力が低下し、かしめ部と放熱板との間、及び放熱板と底部との間に隙間が空く等して、伝熱性が低下するという問題がある。
【０００５】
本発明は上記のような事情に基づいて完成されたものであって、太陽電池モジュールへの良好な伝熱性を確保することを目的とする。
【課題を解決するための手段】
【０００６】
上記の目的を達成するための手段として、請求項１の発明は、整流素子の発熱部分となる整流素子本体を支持する金属製の放熱板と、前記放熱板を支持するとともに、その支持面とは反対側の面が太陽電池モジュールに当接可能とされる樹脂製の支持部とを備えた太陽電池モジュール用端子ボックスであって、前記放熱板には、孔が開口して形成され、前記支持部の前記支持面には、前記孔に挿入される凸部が突出して形成され、前記凸部の先端部には、前記孔を貫通して前記放熱板の表面側に臨む部分を熱又は超音波でかしめてなるかしめ部が形成されており、前記かしめ部が、前記整流素子本体の発熱によって変形しない構成とされているところに特徴を有する。
【０００７】
請求項２の発明は、請求項１に記載のものにおいて、前記凸部の熱変形温度が１７０℃以上とされているところに特徴を有する。
【０００８】
請求項３の発明は、請求項１又は２に記載のものにおいて、前記凸部には、ガラス繊維又はタルクが含まれているところに特徴を有する。
【０００９】
請求項４の発明は、請求項１ないし３のいずれか１項に記載のものにおいて、前記凸部が、ＰＢＴ（ポリブチレンテレフタレート）又はＰＰＳ（ポリフェニレンサルファイド）で構成されているところに特徴を有する。
【００１０】
請求項５の発明は、請求項１ないし４のいずれか１項に記載のものにおいて、前記孔が、前記放熱板における前記整流素子本体の支持領域を挟んだ両側の領域に形成されているところに特徴を有する。
【００１１】
請求項６の発明は、請求項１ないし５のいずれか１項に記載のものにおいて、前記放熱板が筐体に収容され、前記筐体が、前記支持部と、その周りを取り囲む外周部とを有し、前記支持部及び前記外周部が、互いに着脱可能に連結され、前記支持部が、前記外周部よりも高い耐熱性を有するところに特徴を有する。
【発明の効果】
【００１２】
＜請求項１の発明＞
支持部に放熱板を支持させることにより、孔に凸部を貫通させ、その状態で放熱板の表面側に臨む凸部の先端部を熱又は超音波でかしめてかしめ部が形成されるから、かしめ部と支持部との間に放熱板が挟み込まれ、支持部と放熱板との密着性が高められる。したがって、整流素子本体が発熱すると、該熱が放熱板から支持部を経て太陽電池モジュールへと良好に伝熱される。この場合、かしめ部が整流素子本体の発熱によって変形しない構成とされているから、整流素子本体の発熱の影響によってかしめ部が変形するのが回避される。その結果、かしめ部と放熱板との間、及び放熱板と支持部との間の密着状態を保つことができ、太陽電池モジュールへの良好な伝熱性が確保される。
【００１３】
＜請求項２の発明＞
凸部の熱変形温度が１７０℃以上とされているから、整流素子本体の発熱によってかしめ部が変形するのがより確実に回避される。
【００１４】
＜請求項３の発明＞
凸部にガラス繊維又はタルクが含まれているから、整流素子本体の発熱によってかしめ部が変形するのがより確実に回避される。この場合、凸部を構成する材料自体は熱変形温度が低いものを用いることができる。
【００１５】
＜請求項４の発明＞
凸部がＰＢＴ（ポリブチレンテレフタレート）又はＰＰＳ（ポリフェニレンサルファイド）で構成されているから、整流素子本体の発熱によってかしめ部が変形するのがよりいっそう確実に回避される。
【００１６】
＜請求項５の発明＞
孔が放熱板における整流素子本体の支持領域を挟んだ両側の領域に形成されているから、この両側の領域が支持部に固定されることで、放熱板の支持部からの浮き上がりが阻止される。
【００１７】
＜請求項６＞
支持部及び外周部が、互いに着脱可能に連結され、支持部が外周部よりも高い耐熱性を有するため、支持部と外周部とがそれぞれ別材料で構成され得る。したがって、例えば、外周部の材料を、耐熱性は低くても耐候性の高い材料で構成させることができ、材料選択の幅が拡大されるとともに、コストを抑えることができる。
【図面の簡単な説明】
【００１８】
【図１】本発明の実施形態１に係る太陽電池モジュール用端子ボックスの平面図である。
【図２】図１のＡ−Ａ断面図である。
【図３】図２の状態からかしめ部が形成された断面図である。
【図４】図３の状態から筐体内に封止材が導入された断面図である。
【図５】図１のＢ−Ｂ断面図である。
【図６】外周部の平面図である。
【図７】支持部の平面図である。
【図８】支持部の側面図である。
【図９】筐体の平面図である。
【図１０】筐体内に放熱板が支持された平面図である。
【発明を実施するための形態】
【００１９】
＜実施形態１＞
本発明の実施形態１を図１ないし図１０によって説明する。実施形態１に係る太陽電池モジュール用端子ボックス（以下、単に端子ボックス１０という）は、筐体１１と、複数の端子板６０と、複数のバイパスダイオード（本発明の整流素子であって、以下、単にダイオード８０という）とを備えて構成される。
【００２０】
筐体１１は合成樹脂製であって全体として板状をなし、互いに着脱可能に連結された支持部１２及び外周部１３によって構成されている。筐体１１には、上方からカバー９０が被せられる（図４を参照）。
【００２１】
外周部１３は、図６に示すように、矩形枠状をなし、左右一対の両側板１４と、両側板１４の前後両端に連なる前後一対の前後板１５、１６とを有している。
前板１５の内側には、左右一対の円筒状のケーブル挿入部１７が形成されている（図５を参照）。ケーブル挿入部１７内には、前方からプラス側及びマイナス側のケーブル１００が挿入される。また、前板１５の内側には、前方塞止板１８がケーブル挿入部１７の後端に連なりつつ幅方向に延出して形成されている。前方塞止板１８は、筐体１１内に投入される封止材３００の前方への流出を塞き止める役割を有している（図４を参照）。
【００２２】
両側板１４の内側には、第１〜第３スライド受け片１９、２０、２１が前後方向に延出して形成されている。第１スライド受け片１９は、第２スライド受け片２０よりも下方に位置し、第２スライド受け片２０は、第３スライド受け片２１よりも下方に位置している。第１スライド受け片１９は、第２、第３スライド受け片２０、２１よりも後方に位置し、かつ第２、第３スライド受け片２０、２１よりも前後方向に長く延出する形態とされている。また、第２、第３スライド受け片２０、２１は、前後方向について互いに重複する部分を有している。第１〜第３スライド受け片１９、２０、２１には、支持部１２の第１、第２スライド片３０、３１（後述する）がスライドして係合されるようになっている。
【００２３】
後板１６の内側には、左右一対の係止受け片２２が前方に突出して形成されている。両係止受け片２２の上面には、略矩形の係止突起２３が突出して形成されている。また、後板１６の内側には、両係止受け片２２の間に、挿入受け片２４が左右方向（幅方向）に延出して形成されている。両係止受け片２２には、支持部１２の係止片３３（後述する）が弾性的に係止され、挿入受け片２４の下方には、支持部１２の挿入片３５（後述する）がスライドして係合されるようになっている。また、挿入受け片２４の前端には、後方塞止板２５が立ち上げ形成されている。後方塞止板２５は、封止材３００の後方への流出を塞き止める役割を有している（図４を参照）。
【００２４】
かかる外周部１３は、ＰＰＯ（ポリフェニレンオキサイド）、ＰＰＥ（ポリフェニレンエーテル）、ＰＶＣ（ポリ塩化ビニル）のうちから選択される少なくとも１種の材質からなる。つまり、外周部１３は、耐候性、耐加水分解性に優れた材質で構成されている。
【００２５】
支持部１２は、図７及び図８に示すように、筐体１１の底部を構成する平板状の形態をなし、その上面が複数の端子板６０を支持する支持面２６とされ、その下面が太陽電池モジュールに取り付けられる被取付面２７とされる。支持面２６及び被取付面２７は、互いに略平行なフラット面とされる。支持部１２の支持面２６には、複数の端子板支持領域２８が幅方向に分割して形成されている。支持部１２の支持面２６のうち、隣接する端子板支持領域２８間には、仕切壁２９が立ち上げ形成されている。
【００２６】
支持部１２の両側縁の外側には、第１、第２スライド片３０、３１が前後方向に延出して形成されている。第１スライド片３０は、第２スライド片３１よりも後方でかつ下方に位置し、第２スライド片３１よりも前後方向に長く延出する形態とされている。第１スライド片３０はその上方で第１スライド受け片１９に当接可能とされ、第２スライド片３１はその下方及び上方でそれぞれ第２、第３スライド受け片２０、２１に当接可能とされている。
【００２７】
支持部１２の後縁には、左右一対の段部３２が凹み形成され、かつ段部３２の奥端（前端）からは、左右一対の係止片３３が段部３２の内側領域内に突出して形成されている。係止片３３は、段部３２に連なる根元側を支点として上下方向に撓み変形可能とされ、その中央部に、略矩形の係止孔３４が開口して形成されている。また、支持部１２の後縁には、両係止片３３の間に、挿入片３５が左右方向（幅方向）に延出して形成されている。挿入片３５は、両係止片３３よりも下方に配置されている。
【００２８】
支持部１２の前縁、後縁、及び両側縁には、それぞれ、枠片３６が立ち上げ形成されている。上述した第１、第２スライド部は、支持部１２の両側縁における枠片３６から突出する形態とされ、上述した挿入片３５は、支持部１２の後縁における枠片３６から突出する形態とされている。
【００２９】
また、支持部１２の支持面２６には、複数の凸部３７が突出して形成されている。各凸部３７は、それぞれ円柱状をなし、支持面２６の全域にほぼ満遍なく配置されている。詳しくは各凸部３７は、幅方向に複数でかつ前後夫々に分かれて配置され、その先端部にはテーパ状の誘い込み部３８が全周に亘って形成されている。各凸部３７は端子板６０の孔７０（後述する）に挿入され、その際、誘い込み部３８によって挿入動作が案内されるようになっている。また、各凸部３７の先端部には、孔７０への挿入後に熱でかしめられるかしめ部３９が膨出形成されるようになっている（図３を参照）。かしめ部３９は、凸部３７の根元側の直径よりも大径となるつば状の形態とされ、端子板６０の表面側における孔７０の開口縁部に密着可能とされている。
【００３０】
かかる支持部１２は、ＰＢＴ（ポリブチレンテレフタレート）、ＰＰＳ（ポリフェニレンスルファイド）のうちから選択される少なくとも１種の材質からなる。また、支持部１２には、ガラス繊維又はタルク等の強化材が含まれている。これにより、支持部１２の熱変形温度（凸部３７の熱変形温度でもある）は、１７０℃以上となり、好ましくは２００℃以上となる。つまり、支持部１２は、外周部１３よりも耐熱性に優れた材質で構成され、ダイオード８０のダイオード本体８１（本発明の整流素子本体であって後述する）の発熱によってかしめ部３９が変形しないように担保されている。
【００３１】
各端子板６０は、導電金属製の平板状をなし、支持部１２の端子板支持領域２８内に嵌合されつつ幅方向に並列に配置されている。詳しくは端子板６０は、図１０に示すように、幅方向両端部に位置してプラス側及びマイナス側の両ケーブル１００にそれぞれ接続される左右一対のケーブル接続端子６１と、両ケーブル接続端子６１の間に位置する左右夫々の中継接続端子６２とから構成されている。各端子板６０の前端部には、リード接続部６３が形成され、リード接続部６３には、太陽電池モジュールの電極に接続されたリード（図示せず）の端末部が挿入接続可能な挿入孔６４が開口して形成されている。そして、図示向かって右側に位置する中継接続端子６２を除く各端子板６０は、ダイオード本体８１を支持する放熱板とされ、ダイオード本体８１からの熱を放熱する役割を有する。このうち、図示向かって左側に位置する中継接続端子６２が最も大きい表面積を有し、その他の放熱板も、図示向かって右側に位置する中継接続端子６２よりは大きい表面積を有している。
【００３２】
両ケーブル接続端子６１の前端部には、リード接続部６３と、ケーブル１００が接続されるケーブル接続部６５とが、前方に突出して形成されている。これらリード接続部６３及びケーブル接続部６５は、両者間に隙間を保有しつつ幅方向に並んで配置されている。ケーブル接続部６５の前端部には、左右一対のオープンバレル状のバレル片６６が上方に突出して形成されている。両バレル片６６がケーブル１００の端末部に露出された芯線１０１にかしめ付けられることにより、ケーブル１００がケーブル接続端子６１に接続されるようになっている（図５を参照）。バレル片６６は、リード接続部６３の前端よりも前方に配置されるとともに、ケーブル挿入部１７とその後方で対向して配置されている。つまり、ケーブル接続部６５及びケーブル挿入部１７は、それぞれ、ケーブル１００の配線方向と同軸上に配置されている。また、両ケーブル接続端子６１の後縁には、係止片３３及び係止受け片２２が進入する略矩形の逃がし溝６７が凹み形成されている。
【００３３】
端子板６０におけるダイオード８０が支持される領域（以下、ダイオード支持領域６８という）は、その前後領域からクランク状に底上げして形成されている。ダイオード支持領域６８の下面には、図２に示すように、円柱状のボス部６９が突出して形成され、ボス部６９の先端（下端）が支持部１２の支持面２６に対面して配置される。ボス部６９の内周には、ダイオード８０の取付片８５（後述する）を貫通したねじ部材２００がねじ締めされる。また、リード接続部６３も、その後方領域からクランク状に底上げして形成されている。このため、リード接続部６３は、支持部１２の両側縁における枠片３６の上方を跨ぐような形態になっている。
【００３４】
また、各端子板６０には、各凸部３７と対応する位置に、複数の孔７０が貫通して形成されている。各孔７０は、円形をなし、各凸部３７の根元側の直径と対応する内径を有している。詳しくは各孔７０は、端子板６０のうち、ダイオード支持領域６８を挟んだ前後の領域で、かつリード接続部６３を除いた支持部１２に当接可能な領域に配置されている。より詳しくは各孔７０は、リード接続部６３及びケーブル接続部６５と、ダイオード支持領域６８との間に配置されているとともに、逃がし溝６７とダイオード支持領域６８との間に配置され、かつ図示向かって左側に位置する中継接続端子６２については、ダイオード支持領域６８を挟んだ前後両側のそれぞれで幅方向に対をなして配置されている。また、図示向かって右側に位置する中継接続端子６２にも、リード接続部６３の後方に、孔７０が形成されている。
【００３５】
ダイオード８０は、図１及び図２に示すように、チップ部分を樹脂で角ブロック状に包囲した形態のダイオード本体８１と、チップ部分に接続されてダイオード本体８１の一方の側面から幅方向に突出するアノード側及びカソード側の両接続ピン８２とを有している。ダイオード本体８１は、チップ部分の整流作用によって１７０℃ないし２００℃近くにまで昇温する発熱部分とされている。そして、ダイオード本体８１の下面（底面）は、端子板６０の支持面２６に密着可能なフラット面とされている。
【００３６】
両接続ピン８２は互いに略平行に配置され、このうち、一方の接続ピン８２の先端部はダイオード本体８１を支持する自身の端子板６０に半田付けして接続され、他方の接続ピン８２の先端部は隣接する端子板６０に半田付けして接続されている。各端子板６０の側縁には、接続ピン８２の先端部が載置される略矩形の接続片７２が幅方向に張り出して形成されている。
【００３７】
ダイオード本体８１には略扁平な取付片８５が段付き状に形成され、取付片８５にはねじ部材２００が貫通して締め付けられる。また、ねじ部材２００はボス部６９の内周に螺合され、これによってダイオード本体８１がねじ部材２００の頭部２０１と端子板６０との間に挟持固定されるようになっている。
【００３８】
本実施形態に係る端子ボックス１０の構造は上述の通りであり、次に、端子ボックス１０の組付方法及び作用効果を説明する。
まず、筐体１１を組み立てるにあたり、外周部１３に対しその下前方から支持部１２を後方にスライドさせる。スライドの過程では、第１スライド片３０が第１スライド受け片１９の下面に摺動可能とされ、かつ第２スライド片３１が第２、第３スライド受け片２０、２１の間に摺動可能に差し込まれる。スライドの完了時には、図９に示すように、挿入片３５が挿入受け片２４の下方に潜り込むとともに、係止片３３の係止孔３４に係止受け片２２の係止突起２３が弾性的に嵌り込む。かくして支持部１２が、外周部１３に対して上下方向への遊動を規制された状態で抜け止め保持される。また、かく組み立てられた筐体１１には、支持部１２の前縁における枠片３６と、前板１５の前方塞止板１８と、両側板１４とで区画される内側領域に、窓部５０が開口して形成される。この窓部５０は、太陽電池モジュールからのリードの端末部を引き込むための引込口とされ、かつケーブル１００のケーブル接続部６５への接続を行うための金型が進入する金型進入口とされる。
【００３９】
続いて、支持部１２の端子板支持領域２８にそれぞれ対応する端子板６０を嵌め込む。嵌め込みの過程では、各凸部３７が端子板６０の裏面側から対応する孔７０に挿入され、嵌め込みの完了時には、図１０に示すように、各凸部３７の先端部が孔７０から突出して端子板６０の表面側に臨む。これにより、各端子板６０が支持部１２に位置決め状態で支持される。次いで、各凸部３７の先端部に加熱状態の押型を押し当てて加圧し、各凸部３７の先端部を圧潰することで、各凸部３７の先端部にかしめ部３９を形成する。すると、かしめ部３９が端子板６０の表面に密着して、かしめ部３９と支持部１２との間に端子板６０が挟持固定される（図３を参照）。また、こうして各端子板６０が支持部１２にかしめ固定された状態では、リード接続部６３及びケーブル接続部６５が、窓部５０に臨むように配置される。
【００４０】
続いて、各端子板６０のダイオード支持領域６８にダイオード本体８１を載せ、かつねじ部材２００によって各端子板６０にダイオード本体８１をねじ止めして固定する。そして、各接続ピン８２の先端部を対応する接続片７２に半田付けして接続する。
また、ケーブル挿入部１７に前方からケーブル１００を挿入して、ケーブル１００の端末部における芯線１０１を、ケーブル接続部６５におけるオープン状態のバレル片６６間の底面上に載せる。その状態で、バレル片６６を、図示しないアンビル（下金型）及びクリンパ（上金型）からなる金型内にセットする。このとき、アンビルは窓部５０を通して筐体１１内に進入することが可能とされる。そして、クリンパをアンビルに向けて下降させて、バレル片６６を屈曲変形させ、ケーブル１００の芯線１０１にバレル片６６を巻き付ける。これにより、プラス側及びマイナス側の両ケーブル１００が対応するケーブル接続端子６１にかしめ付けして接続される（図１及び図５を参照）。
【００４１】
その後、太陽電池モジュールの裏面側に、支持部１２の被取付面２７を、接着剤、両面テープ、ボルト等によって取り付け固定する。取り付け時には、太陽電池モジュールから延びるリードを、窓部５０を通して筐体１１内に引き込み、各端子板６０のリード接続部６３にリードを半田接続させる。さらに、筐体１１内にシリコン樹脂等の絶縁樹脂からなる封止材３００を投入する。封止材３００の充填量は、前方塞止板１８、後方塞止板２５、及び両側板１４との間に区画される内部容積によって規定される。また、封止材３００は、底上げされたリード接続部６３と、支持部１２の前縁における枠片３６の上端との隙間を通して、リード接続部６３と端子板６０との間に進入する。筐体１１内に導入された封止材３００が硬化された後、筐体１１にカバー９０が被せ付けられ、端子ボックス１０が完成される。
【００４２】
ところで、使用時にダイオード本体８１が発熱すると、その熱は端子板６０から支持部１２を経由して太陽電池モジュール側へ放熱される。この場合、支持部１２が合成樹脂製であることに起因し、かしめ部３９が該熱によって変形し、端子板６０への固定力が脆弱になる懸念がある。しかし、本実施形態によれば、支持部１２が、ガラス又はタルクを含有するＰＢＴ（ポリブチレンテレフタレート）等の耐熱性及び伝熱性に優れた材質によって構成され、凸部３７の熱変形温度が１７０℃ないし２００℃以上とされているため、上記のようなかしめ部３９の熱変形が回避される。その結果、かしめ部３９と端子板６０との間、及び端子板６０と支持部１２との間の密着状態が保たれ、太陽電池モジュールへの良好な伝熱性が確保される。
【００４３】
また、孔７０が端子板６０におけるダイオード支持領域６８を挟んだ両側の領域に形成されているから、この両側の領域が支持部１２に固定されることで、ダイオード本体８１をダイオード支持領域６８にねじ止め等したときに、この両側の領域が浮き上がるのが防止される。
【００４４】
さらに、筐体１１を構成する支持部１２及び外周部１３が互いに着脱可能に連結され、支持部１２が外周部１３よりも耐熱性の高い材質で構成されることで、太陽電池モジュールへの伝熱性が良好となる一方、外周部１３が支持部１２よりも耐候性等の高い材質で構成されることで、屋外使用に伴う劣化の進行が抑えられる。したがって、耐熱性及び耐候性の両特性に優れた単一の材質を探し出さなくても、筐体１１を構成することができ、材料選択の幅が拡大される。また、高コストの材質を筐体１１全体に使わずに済む分、コストを安価に抑えることができる。
【００４５】
＜他の実施形態＞
本発明は上記記述及び図面によって説明した実施形態に限定されるものではなく、例えば次のような実施形態も本発明の技術的範囲に含まれる。
（１）例えば、凸部の先端部を超音波発振器により加熱変形させることにより、超音波でかしめ部を形成するものであってもよい。
（２）支持部（凸部を含む）が、熱変形温度１７０℃ないし２００℃未満の原材に、ガラス繊維又はタルクを含有させることで、熱変形温度１７０℃ないし２００℃以上に調整されるものであってもよい。
（３）端子板がダイオード本体を支持する放熱板を兼用するものであったが、端子板が放熱板とは別に設けられるものであってもよい。
（４）外周部を含む筐体全体が熱変形温度１７０℃以上の材質で構成されるものであってもよい。
（５）放熱板が両ケーブル接続端子のみで構成され、このうちの一方のケーブル接続端子に一つのダイオード本体が支持される構成であってもよい。
【符号の説明】
【００４６】
１０…端子ボックス（太陽電池モジュール用端子ボックス）
１１…筐体
１２…支持部
１３…外周部
２６…支持面
３７…凸部
３９…かしめ部
６０…端子板（放熱板）
６８…ダイオード支持領域
７０…孔
８０…ダイオード（整流素子）
８１…ダイオード本体（整流素子本体）
【図１】
2012004207.tif 000003
【図２】
2012004207.tif 000004
【図３】
2012004207.tif 000005
【図４】
2012004207.tif 000006
【図５】
2012004207.tif 000007
【図６】
2012004207.tif 000008
【図７】
2012004207.tif 000009
【図８】
2012004207.tif 000010
【図９】
2012004207.tif 000011
【図１０】
2012004207.tif 000012